(57)【要約】【課題】契約変更を簡単に行うことができるようにする。【解決手段】新たなフラット契約を希望するチャンネル番号などの契約変更情報を入力し、セキュリティモジュール９のＥＥＰＲＯＭ２４に記憶されると、デコーダ８は、この契約変更情報を、送信側システムに送信する。これにより、送信側システムは、新たなフラット契約をしたセキュリティモジュール９に個別情報を送信する。第１復号器２３において、個別情報から個別鍵に基づいて契約鍵が取り出され、第２復号器２２において、番組情報から契約鍵に基づいてスクランブル鍵が取り出され、デスクランブラ２１に供給され、フラット契約したチャンネルの所定の番組がデスクランブルされる。【選択図】図４
2006230012.tif 000002
【特許請求の範囲】
【請求項１】
有料放送番組を送信する有料放送番組送信装置と、前記有料放送番組を受信する有料放送番組受信装置とからなる情報処理システムにおいて、
前記有料放送番組受信装置は、
ユーザからの前記有料放送番組が送信されているチャンネルに対するフラット契約の指示を取得する指示取得手段と、
ペイパービューにより有料放送番組が視聴された場合、その履歴を示す視聴履歴を生成するとともに、ユーザからの前記有料放送番組が送信されているチャンネルに対するフラット契約の指示が取得された場合、前記チャンネルに対してフラット契約を行うことを示す契約変更情報を生成する第１の生成手段と、
生成された前記視聴履歴と前記契約変更情報を記憶する記憶手段と、
記憶された前記視聴履歴と前記契約変更情報を、所定のタイミングで前記有料放送番組送信装置に送信する第１の送信手段と、
前記フラット契約を行うことを示す契約変更情報が前記有料放送番組送信装置に送信された後、前記有料放送番組送信装置から送信されてくる、前記有料放送番組送信装置によりスクランブルされ、前記チャンネルにおいて送信される前記有料放送番組をデスクランブルするために必要な情報である個別情報を受信し、前記記憶手段に記憶させる第１の受信手段と
を備え、
前記有料放送番組送信装置は、
前記有料放送番組受信装置から送信されてくる前記視聴履歴と前記契約変更情報を受信する第２の受信手段と、
前記契約変更情報が受信された場合、前記個別情報を生成する第２の生成手段と、
生成された前記個別情報を前記有料放送番組受信装置に送信する第２の送信手段と
を備える
ことを特徴とする情報処理システム。
【請求項２】
有料放送番組送信装置から送信されてくる有料放送番組を受信する有料放送番組受信装置において、
ユーザからの前記有料放送番組が送信されているチャンネルに対するフラット契約の指示を取得する指示取得手段と、
ペイパービューにより有料放送番組が視聴された場合、その履歴を示す視聴履歴を生成するとともに、ユーザからの前記有料放送番組が送信されているチャンネルに対するフラット契約の指示が取得された場合、前記チャンネルに対してフラット契約を行うことを示す契約変更情報を生成する生成手段と、
生成された前記視聴履歴と前記契約変更情報を記憶する記憶手段と、
記憶された前記視聴履歴と前記契約変更情報を、所定のタイミングで前記有料放送番組送信装置に送信する送信手段と、
前記フラット契約を行うことを示す契約変更情報が前記有料放送番組送信装置に送信された後、前記有料放送番組送信装置から送信されてくる、前記有料放送番組送信装置によりスクランブルされ、前記チャンネルにおいて送信される前記有料放送番組をデスクランブルするために必要な情報である個別情報を受信し、前記記憶手段に記憶させる受信手段と
を備えることを特徴とする有料放送番組受信装置。
【請求項３】
前記指示取得手段は、前記有料放送番組受信装置のリモートコマンダに形状されたボタンである
ことを特徴とする請求項２に記載の有料放送番組受信装置。
【請求項４】
前記契約変更情報の内容を表示する表示手段をさらに備える
ことを特徴とする請求項２に記載の有料放送番組受信装置。
【請求項５】
前記記憶手段は、脱着可能なＩＣカードに装着されている
ことを特徴とする請求項２に記載の有料放送番組受信装置。
【請求項６】
有料放送番組送信装置から送信されてくる有料放送番組を受信する有料放送番組受信装置の有料放送番組受信方法において、
ユーザからの前記有料放送番組が送信されているチャンネルに対するフラット契約の指示を取得し、
ペイパービューにより有料放送番組が視聴された場合、その履歴を示す視聴履歴を生成するとともに、ユーザからの前記有料放送番組が送信されているチャンネルに対するフラット契約の指示が取得された場合、前記チャンネルに対してフラット契約を行うことを示す契約変更情報を生成し、
生成された前記視聴履歴と前記契約変更情報を記憶し、
記憶された前記視聴履歴と前記契約変更情報を、所定のタイミングで前記有料放送番組送信装置に送信し、
前記フラット契約を行うことを示す契約変更情報が前記有料放送番組送信装置に送信された後、前記有料放送番組送信装置から送信されてくる、前記有料放送番組送信装置によりスクランブルされ、前記チャンネルにおいて送信される前記有料放送番組をデスクランブルするために必要な情報である個別情報を受信し、記憶する
ことを特徴とする有料放送番組受信方法。
【請求項７】
有料放送番組を有料放送番組受信装置に送信する有料放送番組送信装置において、
前記有料放送番組受信装置から送信されてくる、前記有料放送番組受信装置においてペイパービューにより視聴可能とされている前記有料放送番組が送信されているチャンネルに対するフラット契約を行うことを示す契約変更情報を受信する受信手段と、
前記契約変更情報が受信された場合、前記チャンネルにおいて送信されるスクランブルされた前記有料放送番組を、前記有料放送番組受信装置がデスクランブルするために必要な情報である個別情報を生成する生成手段と、
生成された前記個別情報を前記有料放送番組受信装置に送信する送信手段と
を備えることを特徴とする有料放送番組送信装置。
【請求項８】
有料放送番組を有料放送番組受信装置に送信する有料放送番組送信装置の有料放送番組送信方法において、
前記有料放送番組受信装置から送信されてくる、前記有料放送番組受信装置においてペイパービューにより視聴可能とされている前記有料放送番組が送信されているチャンネルに対するフラット契約を行うことを示す契約変更情報を受信し、
前記契約変更情報が受信された場合、前記チャンネルにおいて送信されるスクランブルされた前記有料放送番組を、前記有料放送番組受信装置がデスクランブルするために必要な情報である個別情報を生成し、
生成された前記個別情報を前記有料放送番組受信装置に送信する
ことを特徴とする有料放送番組送信方法。
【発明の詳細な説明】
【技術分野】
【０００１】
本発明は、情報処理システム、有料放送番組受信装置および方法、並びに有料放送番組送信装置および方法に関し、例えば、有料放送システム等に用いて好適な情報処理システム、有料放送番組受信装置および方法、並びに有料放送番組送信装置および方法に関する。
【背景技術】
【０００２】
有料放送においては、スクランブル放送と呼ばれる放送方式が用いられることが多い。このスクランブル放送は、放送局側において、元信号を所定の方法で意図的に乱すことにより、放送局と契約していない者が放送を受信しても、正常な画像、音声、およびデータなどを利用することができないようにするものである。すなわち、放送局と契約した者のデコーダに対しては、このスクランブルを解除する鍵信号を与え、この鍵信号によりデコーダがスクランブルされているデータを元の形にデスクランブルすることで、正常な画像、音声、およびデータなどを得ることができるようにしている。チャンネル単位で契約する場合をフラット、視聴した番組に応じて課金される場合をペイパービューという。ペイパービューのうち、視聴者が急に所定の番組を見たくなった場合でも、所定の操作を行うだけでそれを見ることができる、事前連絡が不要のものを特にインパルスペイパービューという。
【発明の開示】
【発明が解決しようとする課題】
【０００３】
しかしながら、例えば、視聴者がフラット契約をしていない所定のチャンネルの番組を頻繁に、インパルスペイパービューで購入している場合でも、直ちにフラット契約の申し込み手続きを行うことができない課題があった。
【０００４】
そのため、フラット契約をしたいと視聴者が思ってから時間が経過すると、視聴者自身がそのことを忘れてしまったり、申し込み手続きが面倒なため、契約をしない場合がある。
【０００５】
本発明はこのような状況に鑑みてなされたものであり、契約内容の変更を簡単に、かつ迅速に行うことができるようにするものである。
【課題を解決するための手段】
【０００６】
本発明の第１の側面は、有料放送番組を送信する有料放送番組送信装置と、前記有料放送番組を受信する有料放送番組受信装置とからなる情報処理システムであって、前記有料放送番組受信装置は、ユーザからの前記有料放送番組が送信されているチャンネルに対するフラット契約の指示を取得する指示取得手段と、ペイパービューにより有料放送番組が視聴された場合、その履歴を示す視聴履歴を生成するとともに、ユーザからの前記有料放送番組が送信されているチャンネルに対するフラット契約の指示が取得された場合、前記チャンネルに対してフラット契約を行うことを示す契約変更情報を生成する第１の生成手段と、生成された前記視聴履歴と前記契約変更情報を記憶する記憶手段と、記憶された前記視聴履歴と前記契約変更情報を、所定のタイミングで前記有料放送番組送信装置に送信する第１の送信手段と、前記フラット契約を行うことを示す契約変更情報が前記有料放送番組送信装置に送信された後、前記有料放送番組送信装置から送信されてくる、前記有料放送番組送信装置によりスクランブルされ、前記チャンネルにおいて送信される前記有料放送番組をデスクランブルするために必要な情報である個別情報を受信し、前記記憶手段に記憶させる第１の受信手段とを備え、前記有料放送番組送信装置は、前記有料放送番組受信装置から送信されてくる前記視聴履歴と前記契約変更情報を受信する第２の受信手段と、前記契約変更情報が受信された場合、前記個別情報を生成する第２の生成手段と、生成された前記個別情報を前記有料放送番組受信装置に送信する第２の送信手段とを備える。
【０００７】
本発明の第１の側面においては、有料放送番組受信装置において、ユーザからの有料放送番組が送信されているチャンネルに対するフラット契約の指示が取得され、ペイパービューにより有料放送番組が視聴された場合、その履歴を示す視聴履歴が生成されるとともに、ユーザからの前記有料放送番組が送信されているチャンネルに対するフラット契約の指示が取得された場合、前記チャンネルに対してフラット契約を行うことを示す契約変更情報が生成され、生成された前記視聴履歴と前記契約変更情報が記憶され、記憶された前記視聴履歴と前記契約変更情報が、所定のタイミングで有料放送番組送信装置に送信され、前記フラット契約を行うことを示す契約変更情報が前記有料放送番組送信装置に送信された後、前記有料放送番組送信装置から送信されてくる、前記有料放送番組送信装置によりスクランブルされ、前記チャンネルにおいて送信される前記有料放送番組をデスクランブルするために必要な情報である個別情報が受信されて記憶される。そして前記有料放送番組送信装置において、前記有料放送番組受信装置から送信されてくる前記視聴履歴と前記契約変更情報が受信され、前記契約変更情報が受信された場合、前記個別情報が生成され、生成された前記個別情報が前記有料放送番組受信装置に送信される。
【０００８】
本発明の第２の側面は、有料放送番組送信装置から送信されてくる有料放送番組を受信する有料放送番組受信装置であって、ユーザからの前記有料放送番組が送信されているチャンネルに対するフラット契約の指示を取得する指示取得手段と、ペイパービューにより有料放送番組が視聴された場合、その履歴を示す視聴履歴を生成するとともに、ユーザからの前記有料放送番組が送信されているチャンネルに対するフラット契約の指示が取得された場合、前記チャンネルに対してフラット契約を行うことを示す契約変更情報を生成する生成手段と、生成された前記視聴履歴と前記契約変更情報を記憶する記憶手段と、記憶された前記視聴履歴と前記契約変更情報を、所定のタイミングで前記有料放送番組送信装置に送信する送信手段と、前記フラット契約を行うことを示す契約変更情報が前記有料放送番組送信装置に送信された後、前記有料放送番組送信装置から送信されてくる、前記有料放送番組送信装置によりスクランブルされ、前記チャンネルにおいて送信される前記有料放送番組をデスクランブルするために必要な情報である個別情報を受信し、前記記憶手段に記憶させる受信手段とを備える。
【０００９】
前記指示取得手段は、前記有料放送番組受信装置のリモートコマンダに形状されたボタンとすることができる。
【００１０】
この有料放送番組受信装置には、前記契約変更情報の内容を表示する表示手段をさらに設けることができる。
【００１１】
前記記憶手段は、脱着可能なＩＣカードに装着されるようにすることができる。
【００１２】
本発明の第２の側面は、有料放送番組送信装置から送信されてくる有料放送番組を受信する有料放送番組受信装置の有料放送番組受信方法であって、ユーザからの前記有料放送番組が送信されているチャンネルに対するフラット契約の指示を取得し、ペイパービューにより有料放送番組が視聴された場合、その履歴を示す視聴履歴を生成するとともに、ユーザからの前記有料放送番組が送信されているチャンネルに対するフラット契約の指示が取得された場合、前記チャンネルに対してフラット契約を行うことを示す契約変更情報を生成し、生成された前記視聴履歴と前記契約変更情報を記憶し、記憶された前記視聴履歴と前記契約変更情報を、所定のタイミングで前記有料放送番組送信装置に送信し、前記フラット契約を行うことを示す契約変更情報が前記有料放送番組送信装置に送信された後、前記有料放送番組送信装置から送信されてくる、前記有料放送番組送信装置によりスクランブルされ、前記チャンネルにおいて送信される前記有料放送番組をデスクランブルするために必要な情報である個別情報を受信し、記憶することを特徴とする。
【００１３】
本発明の第２の側面においては、ユーザからの有料放送番組が送信されているチャンネルに対するフラット契約の指示が取得され、ペイパービューにより有料放送番組が視聴された場合、その履歴を示す視聴履歴が生成されるとともに、ユーザからの前記有料放送番組が送信されているチャンネルに対するフラット契約の指示が取得された場合、前記チャンネルに対してフラット契約を行うことを示す契約変更情報が生成され、生成された前記視聴履歴と前記契約変更情報が記憶され、記憶された前記視聴履歴と前記契約変更情報が、所定のタイミングで有料放送番組送信装置に送信され、前記フラット契約を行うことを示す契約変更情報が前記有料放送番組送信装置に送信された後、前記有料放送番組送信装置から送信されてくる、前記有料放送番組送信装置によりスクランブルされ、前記チャンネルにおいて送信される前記有料放送番組をデスクランブルするために必要な情報である個別情報が受信され、記憶される。
【００１４】
本発明の第３の側面は、有料放送番組を有料放送番組受信装置に送信する有料放送番組送信装置であって、前記有料放送番組受信装置から送信されてくる、前記有料放送番組受信装置においてペイパービューにより視聴可能とされている前記有料放送番組が送信されているチャンネルに対するフラット契約を行うことを示す契約変更情報を受信する受信手段と、前記契約変更情報が受信された場合、前記チャンネルにおいて送信されるスクランブルされた前記有料放送番組を、前記有料放送番組受信装置がデスクランブルするために必要な情報である個別情報を生成する生成手段と、生成された前記個別情報を前記有料放送番組受信装置に送信する送信手段とを備える。
【００１５】
本発明の第３の側面は、有料放送番組を有料放送番組受信装置に送信する有料放送番組送信装置の有料放送番組送信方法であって、前記有料放送番組受信装置から送信されてくる、前記有料放送番組受信装置においてペイパービューにより視聴可能とされている前記有料放送番組が送信されているチャンネルに対するフラット契約を行うことを示す契約変更情報を受信し、前記契約変更情報が受信された場合、前記チャンネルにおいて送信されるスクランブルされた前記有料放送番組を、前記有料放送番組受信装置がデスクランブルするために必要な情報である個別情報を生成し、生成された前記個別情報を前記有料放送番組受信装置に送信することを特徴とする。
【００１６】
本発明の第３の側面においては、有料放送番組受信装置から送信されてくる、前記有料放送番組受信装置においてペイパービューにより視聴可能とされている有料放送番組が送信されているチャンネルに対するフラット契約を行うことを示す契約変更情報が受信され、前記契約変更情報が受信された場合、前記チャンネルにおいて送信されるスクランブルされた前記有料放送番組が、前記有料放送番組受信装置がデスクランブルするために必要な情報である個別情報が生成され、生成された前記個別情報が前記有料放送番組受信装置に送信される。
【発明の効果】
【００１７】
本発明によれば、契約内容の変更を簡単かつ迅速に行うことができる。
【発明を実施するための最良の形態】
【００１８】
図１は、本発明を応用した有料放送システムの一実施例の構成を示すブロック図である。送信側システムのエンコーダ１は、例えば５チャンネル分の映像信号や音声信号をディジタル化し、圧縮するようになされている。多重化器２は、複数のエンコーダ出力や複数の関連情報を時分割多重する。ここで関連情報とは、番組に関する情報とデスクランブルのためのスクランブル鍵を含む「番組情報」、加入者（視聴者）毎の契約情報（例えばフラットやペイパービューなどの契約形態など）および共通情報（番組情報）の暗号を解くための契約鍵を含む「個別情報」などからなるものとする。
【００１９】
スクランブラ３は、後述する関連情報送出装置４より供給されるスクランブル鍵により、多重化器２からの出力信号の所定のものに対して選択的にスクランブルを施すようになされている。
【００２０】
スクランブル制御システム６は、関連情報送出装置４に契約鍵を供給するとともに、受信端末に固有の個別鍵により契約鍵を暗号化し、個別情報の一部として多重化器２に供給するようになされている。
【００２１】
関連情報送出装置４は、スクランブラ３にスクランブル鍵を供給するとともに、スクランブル制御システム６から供給された契約鍵により、スクランブル鍵を暗号化し、共通情報の一部として多重化器２に供給するようになされている。
【００２２】
番組制御システム５は、所定の制御信号を発生し、番組に応じてエンコーダ１を制御する。すなわち、デジタル化や圧縮の方法を制御する。また、いま、エンコーダ１においてエンコードされている番組の番組ＩＤや対応するチャンネルのチャンネルＩＤ等を発生し、関連情報送出装置４に供給する。視聴情報収集処理システム７は、多数の受信端末からアップリンクされる視聴情報（例えば視聴した番組と対応するチャンネルＩＤ、および視聴した時間など）や視聴者からの契約要求を処理し、契約情報としてスクランブル制御システム６に供給するようになされている。
【００２３】
一方、受信端末のデコーダ８（送信手段）は、内蔵するデスクランブラにより、後述するセキュリティモジュール９から供給されたスクランブル鍵により、スクランブルされた信号を元の信号にデスクランブルするようになされている。また、番組に付加された個別情報や番組情報を抽出し、出力するようになされている。
【００２４】
セキュリティモジュール（ＩＣカード）９は、例えばＩＣカード等により構成され、受信端末に脱着可能にされている。セキュリティモジュール９は、固有の個別鍵を記憶し、デコーダ８を介して供給されたスクランブルされていない個別情報を取り込み、個別鍵により個別情報を復号し、契約鍵と契約情報をそれぞれ取り出し、記憶する。また、デコーダ８を介して供給された番組に付随する共通情報を取り込み、契約鍵により共通情報を復号し、スクランブル鍵を取り出し、デコーダ８に供給するようになされている。
【００２５】
また、契約確認ボタン１２（指示手段）は、後述するように、現在フラット契約をしているチャンネル番号の表示を指示するとき、操作される。ＣＲＴ（Ｃａｔｈｏｄｅ  Ｒａｙ  Ｔｕｂｅ）１３（表示手段）は、受信端末のデコーダ８より供給される信号に対応する所定のメニュー画面等を表示するようになされている。
【００２６】
次にその動作について説明する。まず、送信側システムより受信端末に個別情報が送信される場合の動作について説明する。この個別情報は、図２に示すように、契約鍵に対応する契約鍵番号、契約鍵、契約したチャンネルに対応するチャンネルＩＤ、および契約タイプなどを含んでいる。また、個別情報は、送信先のセキュリティモジュール９のＩＤ番号に対応する情報も含んでいる。
【００２７】
契約鍵は、例えば、８ビットの契約鍵番号とともに送信され、複数の契約鍵を使い分けることができるようになっている。契約したチャンネルＩＤを、例えば１６ビットのＳｅｒｖｉｃｅ＿ｉｄで表すものとする。契約タイプは、フラット、ペイパービュー、特別契約を識別することができるもので、例えば４ビットとする。
【００２８】
この個別情報は、スクランブル制御システム６において、この個別情報が送信されるべき送信先のセキュリティモジュール９に固有の個別鍵を用いて暗号化される。スクランブル制御システム６は、全てのセキュリティモジュール９について、セキュリティモジュール９に固有の個別鍵をセキュリティモジュール９のＩＤ番号に対応させて記憶しており、送信先のセキュリティモジュール９のＩＤ番号からその個別鍵を検索することができるようになっている。従って、送信先のセキュリティモジュール９のＩＤ番号に対応する個別鍵を検索し、それに基づいて、個別情報が暗号化されることになる。暗号化された個別情報は多重化器２に供給される。
【００２９】
多重化器２においては、エンコーダ１より供給された所定の番組に対応するディジタル化され、圧縮された映像信号や音声信号と、スクランブル制御システム６より供給された個別情報が時分割多重された後、スクランブラ３に供給される。スクランブラ３に供給されたディジタル信号は、関連情報送出装置４より供給されたスクランブル鍵を用いて番組部分だけがスクランブルされ、個別情報の部分はスクランブルされずに伝送路１０に送出される。
【００３０】
なお、この個別情報の受信端末への送信は、個別情報の更新が必要とされる時に、必要に応じて随時行われる。この個別情報には、上述した契約情報が含まれている。
【００３１】
次に、通常の番組とそれに付加された番組情報（共通情報の構成要素）が送信側システムから受信端末に送信される場合の動作について説明する。
【００３２】
番組情報は、例えば図３に示すように、契約タイプ、契約鍵の番号を示す契約鍵番号、スクランブル鍵、チャンネルＩＤに相当するＳｅｒｖｉｃｅ＿ｉｄ、および番組を識別するための番組ＩＤなどを含んでいる。また、契約タイプには、特別番組であるか否かを識別するためのフラグが含まれている。
【００３３】
関連情報送出装置４において生成された上述したような構成の所定の番組情報は、その中のスクランブル鍵がスクランブル制御システム６より供給された契約鍵によって暗号化された後、多重化器２に供給される。多重化器２においては、エンコーダ１から供給された所定の番組に対応するディジタル化され、圧縮された映像信号や音声信号と、関連情報送出装置４より供給された番組情報が時分割多重され、スクランブラ３に供給される。
【００３４】
スクランブラ３においては、そこに供給された番組を構成する圧縮された映像信号や音声信号と番組情報が時分割多重されたディジタル信号が、関連情報送出装置４より供給されたスクランブル鍵によって番組部分だけがスクランブルされ、番組情報の部分はスクランブルされずに伝送路１０に送出される。
【００３５】
このようにして、所定の番組とそれに付随する番組情報が送信側システムより受信端末に送信される。
【００３６】
次に、受信端末側の動作について説明する。
【００３７】
図４は受信端末において、視聴許可の制御を行う場合の原理的な動作を説明するための図である。デコーダ８は、例えば、所定のチャンネルの番組を選局し、入力するチューナ２０と、チューナ２０により選局された番組をデスクランブルするデスクランブラ２１より構成される。また、セキュリティモジュール９は、デコーダ８に脱着可能なＩＣカードなどよりなり、第２復号器２２、および第１復号器２３、およびＥＥＰＲＯＭ（Ｅｌｅｃｔｏｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）２４（記憶手段）などから構成されている。
【００３８】
正式に契約した視聴者の受信端末には、個別情報が送信される。送信側システムより、伝送路１０を介して送信されたスクランブルされた所定の番組と、スクランブルされていない個別情報が時分割多重されたディジタル信号が、受信端末のデコーダ８により受信されると、スクランブルされた番組に対応するディジタル信号は、デスクランブラ２１に供給される。
【００３９】
一方、スクランブルされていない個別情報は、デコーダ８において、まず、その非暗号部に付加されたＩＤ番号と、セキュリティモジュール９に予め記憶されているそのＩＤ番号とが比較される。すなわち、デコーダ８により、セキュリティモジュール９に対して、ＩＤ番号の出力要求がなされる。この要求を受けたセキュリティモジュール９により、そのＩＤ番号がデコーダ８に供給される。デコーダ８においては、セキュリティモジュール９からのＩＤ番号と、伝送路１０を介して受信した送信側システムからの個別情報に付加されたＩＤ番号とが比較され、両者が一致した場合、この個別情報は、そこに接続されたセキュリティモジュール９に対して送信されたものであると判定され、個別情報がセキュリティモジュール９の第１復号器２３に供給される。
【００４０】
第１復号器２３に供給された個別情報は、セキュリティモジュール９に記憶されているセキュリティモジュール９に固有の個別鍵によって解読され、契約鍵、および契約情報が取り出され、記憶される。この契約鍵は、後述する番組情報の解読に使用される。また、契約情報は、受信した番組が契約した番組であるか否かを判断するとき使用される。
【００４１】
受信端末において、視聴者が番組を視聴しているとき、受信端末は、伝送路１０を介して送信されてきたスクランブルされた所定の番組と、それに付随した番組情報を受信している。スクランブルされた所定の番組に対応するディジタル信号は、デスクランブラ２１に供給され、それに付随した番組情報は、セキュリティモジュール９の第２復号器２２に供給される。
【００４２】
セキュリティモジュール９により、所定の番組のチャンネルに対応する契約鍵が、上述したようにして、すでに第１復号器２３において復号された個別情報から取り出され、記憶されている場合、第２復号器２２が動作し、その契約鍵によって番組情報が復号される。番組情報が復号された後、番組情報に含まれたスクランブル鍵が取り出される。
【００４３】
次に、番組情報は、すでに記憶されている契約情報との照合が行われる。その結果、この番組情報が付加された番組が、契約した番組であると認識された場合、第２復号器２２において得られたスクランブル鍵が、デコーダ８のデスクランブラ２１に供給される。デスクランブラ２１においては、スクランブルされた所定の番組のディジタル信号が、第２復号器２２より供給されたスクランブル鍵によってデスクランブルされ、正常に視聴可能な元の信号に戻された後、出力される。
【００４４】
所定のチャンネルをフラットで契約すると、契約したチャンネルに対応する契約鍵と、そのチャンネルに対応するＳｅｒｖｉｃｅ＿ｉｄ、契約タイプ等からなる契約情報を含む個別情報が送信側システムから受信端末に送信され、受信端末を構成する脱着可能なセキュリティモジュール９に記憶される。契約するチャンネル数が多数あれば、上述した手順が繰り返し実行されることになる。
【００４５】
フラット視聴の場合、受信した番組に付随する番組情報内のＳｅｒｖｉｃｅ＿ｉｄがセキュリティモジュール９に記憶されており、かつ番組情報内の契約鍵番号で示される契約鍵がセキュリティモジュール９に記憶されており、かつＳｅｒｖｉｃｅ＿ｉｄに対応する契約タイプがフラットである場合、第２復号器２２によって、番組情報が復号され、得られたスクランブル鍵がデスクランブラ２１に供給され、デスクランブラ２１が動作する。これにより、所定の番組が正常にデスクランブルされた映像および音声が得られ、その番組の視聴が可能となる。
【００４６】
インパルスペイパービューにより、フラット契約をしていない番組を視聴したとき、その番組を視聴したことが視聴履歴として、セキュリティモジュール９内のＥＥＰＲＯＭ２４に記憶される。この視聴履歴はデコーダ８によって周期的に（例えば月に１回の割合で）読み出され、視聴情報として電話回線１１を介して送信側システムにアップロードされる。
【００４７】
視聴履歴は、送信側システムにアップロードされるまでＥＥＰＲＯＭ２４に記憶され、アップロードの際に、送信側システムからの個別情報による指示により削除される。また、視聴履歴を記録するＥＥＰＲＯＭ２４の記憶容量が所定の値以下になると、定期的にアップロードを行う時期ではなくても、アップロード動作が行われる。さらに、後述するように、ＥＥＰＲＯＭ２４に契約変更情報が記憶されているとき、定期的なアップロードの時期ではなくてもアップロードが行われるようにすることもできる。
【００４８】
このようにして、送信側システムは、受信端末側から送信されてくる視聴情報の中の視聴履歴に基づいて、所定の受信端末がどの番組をインパルスペイパービューにより購入し、視聴したかを把握することができ、その受信端末に挿入されたセキュリティモジュール９の持ち主である視聴者に対する所定の課金処理を行うことができる。
【００４９】
次に、契約変更を行う場合の受信端末側の動作を、現在フラット契約をしているチャンネル以外のチャンネルに対して、新たにフラット契約を行う場合を例にして説明する。例えば、視聴者が、受信端末に設けられた契約変更ボタン１２を操作し、次に、フラット契約を希望するチャンネルに対応する番号等を図示せぬ数字ボタン等により入力すると、デコーダ８から、セキュリティモジュール９に、フラット契約を希望するチャンネルのチャンネルＩＤなどからなる契約変更情報が供給される。
【００５０】
このとき、受信端末に接続されたＣＲＴ１３に契約変更情報を表示させることも可能である。その場合、デコーダ８は、契約変更ボタン１２が操作され、新たにフラット契約を希望するチャンネルに対応する番号が入力されたとき、契約変更画面に対応する表示信号をＣＲＴ１３に供給する。その結果、例えば図５に示したような契約変更画面が表示される。この場合、新たにフラット契約を希望するチャンネルに対応するチャンネル番号３と４が表示されている。
【００５１】
セキュリティモジュール９に供給された契約変更情報は、ＥＥＰＲＯＭ２４に記憶される。デコーダ８は、所定の周期で、セキュリティモジュール９のＥＥＰＲＯＭ２４に契約変更情報が記憶されているか否かの問い合わせを行い、ＥＥＰＲＯＭ２４に契約変更情報が記憶されている場合、それを読み出し、電話回線１１を介して送信側システムに送信する。あるいは、視聴情報の場合と同様に、例えば月１回の割合で定期的に、電話回線１１を介して送信側システムにアップロードされるようにすることも可能である。また、そのとき、視聴情報も同時にアップロードされるようにすることもできる。
【００５２】
送信側システムの視聴情報収集処理システム７は、受信端末側のデコーダ８より電話回線１１を介して送信されてきた契約変更情報に基づいて、受信端末側に挿入されているセキュリティモジュール９との間の契約の変更を行う。この場合、新たにチャンネル３と４のフラット契約が希望されているので、送信側システムは、受信端末側に挿入されているセキュリティモジュール９に対して、チャンネル３と４のフラット視聴を可能にするように、セキュリティモジュール９との間の視聴契約条件を変更する。
【００５３】
セキュリティモジュール９との間のこのような視聴契約条件からなる新たな契約情報は、スクランブル制御システム６に供給される。スクランブル制御システム６においては、視聴情報収集処理システム７からの契約情報に基づいて、この場合、チャンネル３と４の視聴を可能にする契約鍵が、送信先のセキュリティモジュール９に固有の個別鍵によって暗号化された後、個別情報として多重化器２に供給される。
【００５４】
多重化器２においては、エンコーダ１より供給された所定の番組に対応するディジタル化され、圧縮された映像信号や音声信号と、スクランブル制御システム６より供給された個別情報が時分割多重された後、スクランブラ３に供給される。スクランブラ３に供給されたこれらのディジタル信号は、関連情報送出装置４より供給されたスクランブル鍵を用いて番組部分だけがスクランブルされ、個別情報の部分はスクランブルされずに伝送路１０に送出される。
【００５５】
伝送路１０を介して送信されたスクランブルされた所定の番組と、スクランブルされていない個別情報が時分割多重されたディジタル信号が、受信端末により受信されると、スクランブルされたディジタル信号は、デスクランブラ２１に供給され、スクランブルされていない個別情報は、デコーダ８において、その非暗号部に付加されたＩＤ番号と、セキュリティモジュール９に予め記憶されている固有のＩＤ番号が読み出されて比較され、両者が一致した場合、セキュリティモジュール９にこの個別情報が供給される。
【００５６】
セキュリティモジュール９に供給された個別情報は、第１復号器２３において、セキュリティモジュール９に固有の個別鍵によって解読され、契約鍵、および契約情報が取り出され、記憶される。この契約鍵は、上述したように番組情報の解読に使用される。また、契約情報は、受信した番組が契約した番組であるか否かを判断するとき使用される。
【００５７】
例えば、チューナ２０により、チャンネル３が選局されたとき、このチャンネル３のスクランブルされた所定の番組は、デスクランブラ２１に供給される。一方、番組に付随した番組情報は、先に記憶された契約情報との照合が行われ、その結果、番組が契約したものであれば、それに付随した番組情報が第２復号器２２に供給される。第２復号器２２に供給された番組情報は、先に記憶させておいた契約鍵によって解読され、番組情報に含まれたスクランブル鍵が取り出され、記憶される。次に、このスクランブル鍵が、デコーダ８のデスクランブラ２１に供給される。
【００５８】
デスクランブラ２１においては、チューナ２０によって選局されたチャンネル３の所定の番組に対応するスクランブルされたディジタル信号が、セキュリティモジュール９より供給されたスクランブル鍵によってデスクランブルされ、正常に視聴可能な元の信号に戻された後、出力される。
【００５９】
このようにして、送信側システムより送信されてきた新たにフラット契約をしたチャンネル３のスクランブル鍵が記憶されるので、以後、チャンネル３の番組を常に視聴することができるようになる。一方、新たにフラット契約をしたチャンネル４の場合についても、上述したチャンネル３の場合と同様にして、常にチャンネル４の番組の視聴をすることができるようになる。
【００６０】
受信契約の変更が完了すると、それ以降、送信側システムにより、契約変更を行ったセキュリティモジュール９の所有者に対して、新たな契約条件に基づいた課金処理が行われる。
【００６１】
また、図６に示したようなリモートコマンダ３０（指示手段）を操作することにより、ＣＲＴ１３の画面上に所定のメニュー画面を表示し、所定のチャンネルについて新たにフラット契約をすることも可能である。
【００６２】
図６に示したリモートコマンダ３０において、送信部３１は、リモートコマンダ３０のボタン操作に対応する赤外線信号を送信する。契約変更ボタン３２は、新たにフラット契約を行うなどの契約変更をすることをデコーダ８に指示するとき操作される。電源ボタン３３は、受信端末の電源スイッチをオンまたはオフするとき操作される。数字ボタン３４は、所定の数字を入力するとき操作される。エンタボタン３５は、所定の数字の入力を確定するときなどに操作される。
【００６３】
チャンネルアップダウンボタン３６は、チャンネルを切り換えるとき操作される。ボリウムボタン３７は、音量を調節するとき操作される。メニューボタン３８は、ＣＲＴ１３に所定のメニュー画面を表示させるとき操作される。セレクトボタン３９は、ＣＲＴ１３の画面に表示されたカーソルを移動させ、メニュー画面の中の所定の項目を選択するとき操作される。
【００６４】
例えば、リモートコマンダ３０の契約変更ボタン３２が押下されると、送信部３１より、対応する赤外線信号が送信され、デコーダ８の図示せぬ受信部により受信される。デコーダ８は、リモートコマンダ３０より送信されてきた赤外線信号を受信すると、それに基づいて、契約変更画面に対応する表示信号をＣＲＴ１３に供給する。その結果、ＣＲＴ１３に所定の契約変更画面が表示される。
【００６５】
次に、例えば、チャンネル３および４に対応して数字ボタン３４のボタン「３」を押下し、次にエンタボタン３５を押下する。さらに、数字ボタン３４のボタン「４」を押下し、次にエンタボタン３５を押下する。その結果、図５に示したように、フラット契約を希望するチャンネルの番号がＣＲＴ１３の画面に表示される。
【００６６】
また、リモートコマンダ３０のメニューボタン３８を押下すると、対応する赤外線信号が送信部３１より送信され、デコーダ８の図示せぬ受信部により受信される。デコーダ８は、リモートコマンダ３０からの赤外線信号を受信すると、所定のメニュー画面に対応する表示信号をＣＲＴ１３に供給する。ＣＲＴ１３は、デコーダ８からの表示信号を入力すると、例えば図７に示したように、この表示信号に対応するメニュー画面を表示する。メニュー画面には、例えば、「契約確認」、「契約変更」、および「番組購入確認」などの項目が表示される。
【００６７】
次に、リモートコマンダ３０のセレクトボタン３９を操作することにより、メニュー画面に表示された上記項目の中から所定の項目を選択する。まず、セレクトボタン３９を紙面に対して上下方向に操作すると、この操作に対応する赤外線信号が送信部３１より送信され、デコーダ８の受信部により受信される。デコーダ８は、この赤外線信号に従って、メニュー画面上の所定の項目にカーソルを表示させる。このようにして、画面上に表示されたカーソルを移動させ、所定の項目上に位置づけることができる。ここでは、項目「契約変更」にカーソルを位置づける。
【００６８】
次に、エンタボタン３５を押下すると、この操作に対応した赤外線信号が送信部３１より送信され、デコーダ８の受信部により受信される。デコーダ８は、この赤外線信号に基づいて、現在カーソルが位置している項目「契約変更」の選択が確定されたことを認識し、所定の契約変更画面に対応する表示信号をＣＲＴ１３に供給する。ＣＲＴ１３は、この表示信号に対応する契約変更画面を表示する。
【００６９】
次に、フラット契約を希望するチャンネルに対応する番号を数字ボタン３４を用いて入力し、エンタボタン３５を押下して確定する動作を繰り返すことにより、フラット契約を希望するチャンネルを入力する。入力されたチャンネル番号は、例えば図５に示したように、ＣＲＴ１３の画面上に表示される。
【００７０】
このようにして、フラット契約を希望するチャンネルを指定することができる。指定されたチャンネルの番号などからなる契約変更情報は、ＥＥＰＲＯＭ２４に記憶される。ＥＥＰＲＯＭ２４に記憶された契約変更情報は、上述したように、デコーダ８により読み出され、電話回線１１を介して送信側システムに送信される。
【００７１】
それ以後の処理については、受信端末の契約変更ボタン１２を操作した場合と同様であるので、その説明は省略する。
【００７２】
このようにして、受信端末の契約変更ボタン１２、あるいはリモートコマンダ３０を操作することにより、簡単にかつ迅速に契約の変更を行うことができる。ここでは、フラット契約の変更を例にして説明したが、その他の契約内容を変更する場合にも、上述した場合と基本的に同様の手順により契約の変更を行うことが可能である。
【００７３】
なお、上記実施例においては、個別情報を放送電波によって受信端末に供給するようにしたが、電話線を介して送信したり、ＩＣカード、その他の記録媒体によって、受信端末に供給するようにすることも可能である。
【００７４】
また、上記実施例においては、伝送路１０を放送波であるものとして説明したが、これに限定されるものではなく、光ファイバケーブルやその他の伝送媒体とすることも可能である。
【００７５】
また、上記実施例においては、例として、契約タイプに４ビット、契約鍵番号に８ビット、契約鍵およびスクランブル鍵に６４ビット、Ｓｅｒｖｉｃｅ＿ｉｄおよび番組ＩＤに１６ビットをそれぞれ割り当てるようにしたが、これに限定されるものではなく、他の任意のビット数をそれぞれ割り当てるようにすることが可能である。
【００７６】
また、上記実施例においては、ＣＲＴ１３にメニュー画面を表示させるようにしたが、液晶表示装置やその他の表示デバイスに表示させることも可能である。
【００７７】
また、上記実施例においてＣＲＴ１３に表示したメニュー画面は例であって、これに限定されるものではなく、アイコンなどからなるメニュー画面や、その他のメニュー画面を表示することも可能である。
【００７８】
さらに、上記実施例において使用したリモートコマンダは例であって、その形状や機能等はこれに限定されるものではない。また、赤外線によって所定の信号を送信するようにしたが、電波や超音波などで信号を送信するようにすることも可能である。
【００７９】
送信側との間の受信契約の変更内容が指示されると、指示された変更内容が所定のタイミングで送信側に送信されるようにしたので、送信側との間の受信契約の契約内容の変更を行うことができる。従って、契約内容の変更を簡単かつ迅速に行うことが可能となる。
【図面の簡単な説明】
【００８０】
【図１】本発明を応用した有料放送システムの構成例を示すブロック図である。
【図２】個別情報の一部を示す図である。
【図３】番組情報の一部を示す図である。
【図４】受信端末の動作の原理を説明するための図である。
【図５】契約変更画面の例を示す図である。
【図６】デコーダ８を遠隔操作するリモートコマンダの外観図である。
【図７】項目を選択するメニュー画面を示す図である。
【符号の説明】
【００８１】
１  エンコーダ，  ２  多重化器，  ３  スクランブラ，  ４  関連情報送出装置，  ５  番組制御システム，  ６  スクランブル制御システム，  ７  視聴情報収集処理システム，  ８  デコーダ，  ９  セキュリティモジュール（ＩＣカード），  １０  伝送路，  １１  電話回線，  １２  契約変更ボタン，  １３  ＣＲＴ，  ２０  チューナ，  ２１  デスクランブラ，  ２２  第２復号器，  ２３  第１復号器，  ２４  ＥＥＰＲＯＭ，  ３０  リモートコマンダ，  ３１  送信部，  ３２  契約確認ボタン，  ３３  電源ボタン，  ３４  数字ボタン，  ３５  エンタボタン，  ３６  チャンネルアップダウンボタン，  ３７  ボリウムボタン，  ３８  メニューボタン，  ３９  セレクトボタン
【図１】
2006230012.tif 000003
【図２】
2006230012.tif 000004
【図３】
2006230012.tif 000005
【図４】
2006230012.tif 000006
【図５】
2006230012.tif 000007
【図６】
2006230012.tif 000008
【図７】
2006230012.tif 000009